(57)【特許請求の範囲】
【請求項１】
床材と床面との間の段差を解消するために用いられるスロープ材であって、下面と、下面に対して傾斜する上面と、先端と、後端面とを有し、先端から後端面に向けて厚みが増大する断面略三角形状の上部材と、上部材の下面と密接可能な上面と、略平坦な下面と、先端と、後端面とを有し、先端から後端面に向けて厚みが増大する断面略三角形状の下部材とからなり、下部材の幅寸法は上部材の幅寸法より小さく形成され、上部材と下部材とを組み合わせて第一のスロープ材として使用するときは、下部材の先端が上部材の先端に至らないように下部材の上面を上部材の下面に密接させ、下部材の下面を床面に当接させ且つその後端面を床材の木口面に実質的に突き当て、上部材の先端が床面に接した状態で使用され、上部材を単独で第二のスロープ材として使用するときは、上部材の下面を床面に当接させ且つその後端面を床材の木口面に実質的に突き当て、上部材の先端が床面に接した状態で使用され、第一および第二のスロープ材のいずれで使用したときにもスロープ材の先端と床面との間に隙間のない使用状態が得られることを特徴とするスロープ材。
【請求項２】
上部材の上面から後端面を超えてさらに後方に延長するつば部が形成され、このつば部が床材の木口面に被さって床材木口面とこの床材木口面に当接する上部材または下部材の後端面との間の隙間を隠蔽することを特徴とする請求項１記載のスロープ材。
【発明の詳細な説明】
【技術分野】
【０００１】
本発明は、主に、既設床面の上に新たな床材を敷設したときに該床材の端面と既設床面との間に生ずる段差を解消してバリアフリー化するために使用されるスロープ材に関する。
【背景技術】
【０００２】
たとえばタイルで形成した既設床面をそのまま残してその上に新たに木質系の床材を敷設するリフォームを行うと、新設床材の四周に亘る端面と既設床面との間に、新設床材の厚さに相当する段差が生じることになる。この段差を解消してバリアフリー化する目的で、新設床材の端面に当接させた状態で既設床面上にスロープ材を使用することが行われている。これによれば、既設床面と新設床材による床面との間をスロープ材の緩やかな傾斜面で行き来できるようになるので、つまずきを防止して歩行時の安全性を確保すると共に車椅子の走行が可能になる。
【０００３】
しかしながら、市販のスロープ材を使用しても、その高さが段差の高低差と一致していない場合、段差を完全に解消することができず、スロープ材の端面と新設床材の端面との間にわずかな段差ができてしまう。このようなわずかな段差であっても、高齢者や幼児には歩行の支障となって危険であり、車椅子の走行も困難になる。これを解決しようとすると、段差の高低差に応じた寸法を有する専用のスロープ材を作製しなければならず、手間がかかると共にコストアップが不可避である。
【０００４】
このような背景において、特許文献１では、外側傾斜板と高さ調整板とスペーサ板を組み合わせて、段差の高低差に応じたスロープ材として使用することを可能にした構成が提案されている。すなわち、断面三角形状を有する高さ調整板が床面上に配置され、その上に必要に応じてスペーサ板を介して、外側傾斜板が配置されて、外側傾斜板の傾斜した表面が段差解消のためのスロープ面を与える。外側傾斜板の傾斜下面は、スペーサ板を用いた場合はスペーサ板の上面、用いない場合は高さ調整板の上面に接して用いられ、その先端部近くの下面は既設床面に接している。また、高さ調整板には幾つかの切り込み部が設けられ、このいずれかで除去して用いることによりさらに自在な高さ調整を可能にしている（図４，図５）。
【先行技術文献】
【特許文献】
【０００５】
【特許文献１】特開２００４−２７７４９号公報
【発明の概要】
【発明が解決しようとする課題】
【０００６】
しかしながら、特許文献１記載の従来技術によると、外側傾斜板のスロープ先端部の下面が、高さ調整板との間にスペーサ板を介在させた場合に既設床面に面接する形状とされている（図２，図４，図５）ため、スペーサ板を用いずに高さ調整板の上に直接外側傾斜板を載置した場合には、外側傾斜板の下面の傾斜角度と高さ調整板の上面の傾斜角度とが異なる（後者のほうが小さい）ため、スロープ先端部の下面が既設床面に完全に接することができず、先端が浮き上がった状態になる。高さ調整板をいずれかの切り込み部で除去して使用する場合も同様に先端が浮き上がった状態になる。このため、既設床面から外側傾斜板に乗り移ろうとするときに、浮き上がったスロープ先端に歩行者のつま先や車椅子の車輪が引っ掛かりやすくなり、つまずいて転倒の原因になったり、該スロープ先端を破損させる恐れがある。また、浮き上がったスロープ先端と既設床面との間に隙間が生じてゴミが入りやすく、さらに該隙間にゴミが入った状態でスロープ先端部に荷重がかかるとその部分に大きな圧力が作用して破損する恐れがある。
【０００７】
また、外側傾斜板の端面は、高さ調整板との間にスペーサ板を介在させた場合に既設床面に対して垂直になって、新設の床材の端面と面接するように形成されている（図１，図２）ため、スペーサ板を用いずに高さ調整板の上に直接外側傾斜板を載置した場合、この端面が既設床面に対して垂直にならず、床材端面側に傾いてしまう。このため、床材の端面に対して高さ全体で密接することができず、安定した取付状態が得にくくなると共に、この部分にも隙間が生じてゴミが入りやすくなる。
【０００８】
さらに、このスロープ材は、外側傾斜板と高さ調整板とスペーサ板の３部材から構成され、スペーサ板を用いない場合も外側傾斜板と高さ調整板の２部材を必要とし、外側傾斜板を単独でスロープ材として使用することを全く想定していない。しかも、仮に外側傾斜板を単独でスロープ材として使用した場合、スロープ先端側が浮き上がってしまうことによる前述の不利欠点および床材端面と密接できなくなってしまうことによる上述の不利欠点がより顕著になる。
【０００９】
したがって、本発明が解決しようとする課題は、従来技術が抱える不利欠点を解消することができる新規なスロープ材を提供することであり、具体的には、床面と該床面上に敷設された床材との間の段差の高低差に応じて寸法（高さ）を変えて段差を解消させることができ、いかなる高さで使用してもスロープ先端が既設床面に当接し且つ後端面が床材の端面に当接した状態を維持することができるように構成された新規なスロープ材を提供することである。
【課題を解決するための手段】
【００１０】
この課題を解決するため、請求項１に係る本発明は、床材と床面との間の段差を解消するために用いられるスロープ材であって、下面と、下面に対して傾斜する上面と、先端と、後端面とを有し、先端から後端面に向けて厚みが増大する断面略三角形状の上部材と、上部材の下面と密接可能な上面と、略平坦な下面と、先端と、後端面とを有し、先端から後端面に向けて厚みが増大する断面略三角形状の下部材とからなり、下部材の幅寸法は上部材の幅寸法より小さく形成され、上部材と下部材とを組み合わせて第一のスロープ材として使用するときは、下部材の先端が上部材の先端に至らないように下部材の上面を上部材の下面に密接させ、下部材の下面を床面に当接させ且つその後端面を床材の木口面に実質的に突き当て、上部材の先端が床面に接した状態で使用され、上部材を単独で第二のスロープ材として使用するときは、上部材の下面を床面に当接させ且つその後端面を床材の木口面に実質的に突き当て、上部材の先端が床面に接した状態で使用され、第一および第二のスロープ材のいずれで使用したときにもスロープ材の先端と床面との間に隙間のない使用状態が得られることを特徴とするスロープ材である。ここで、上部材または下部材の後端面を床材の木口面に「実質的に」付き当てた状態とは、該後端面が床材木口面に面一に密接して突き当てられている状態でなくても、施工時および／または寸法上の精度が不十分であるためにそれらの間に若干の隙間が空いてしまう場合や、該後端面と床材木口面とが相対的に傾いた状態で施工される（たとえば、上部材単独で第二のスロープ材として使用されるとき、詳しくは後述）ことによりそれらの上面側または下面側に若干の隙間が空いてしまう場合なども含むものとして理解されなければならない。
【００１１】
請求項２に係る本発明は、請求項１記載のスロープ材において、上部材の上面から後端面を超えてさらに後方に延長するつば部が形成され、このつば部が床材の木口面に被さって床材木口面とこの床材木口面に当接する上部材または下部材の後端面との間の隙間を隠蔽することを特徴とする。
【発明の効果】
【００１２】
請求項１に係る本発明によれば、上下部材を組み合わせて第一のスロープ材として使用する場合と、上部材単独で構成される第二のスロープ材として使用する場合の２通りの用法から、床面と床材との間の段差の大きさに応じて選択して使用することができるので、リフォームなどによって床材の高さが変わっても対応することができる。また、いずれの使用状態においても、上部材の先端は床面に接して、浮き上がった状態にならない。したがって、歩行者のつま先や車椅子の車輪がスロープ材の先端に引っ掛かることがなく、安全性が向上すると共に、該スロープ先端の破損を防止することができる。また、浮き上がったスロープ先端と既設床面との間に隙間が生じないので、ゴミが入らない。
【００１３】
請求項２に係る本発明によれば、第一および第二のスロープ材のいずれで使用する場合も、上部材の後端側に延長するつば部が床材の木口面に被さって、スロープ材の後端面と床材木口面との間に隙間が生じてもこれを隠蔽することができる。また、スロープ材の後端面の高さが段差と若干ずれている場合であっても、軟質材料で形成されるつば部の変形を介して追従対応することができる。
【図面の簡単な説明】
【００１４】
【図１】本発明の一実施形態によるスロープ材の上部材（ａ）と下部材（ｂ）を示す断面図である。
【図２】この上部材と下部材を組み合わせてスロープ材とした場合の使用状態断面図である。
【図３】図２の使用状態におけるスロープ材先端部の拡大断面図である。
【図４】上部材を単独でスロープ材とした場合の使用状態断面図である。
【図５】図４の使用状態におけるスロープ材先端部の拡大断面図である。
【図６】図４の使用状態におけるスロープ材後端部の拡大断面図である。
【図７】本発明の別の実施形態によるスロープ材の上部材と下部材を組み合わせてスロープ材とした場合の使用状態断面図である。
【図８】図７の使用状態におけるスロープ材先端部の拡大断面図である。
【図９】本発明のさらに別の実施形態によるスロープ材の上部材と下部材を組み合わせてスロープ材とした場合の使用状態断面図である。
【図１０】図９の使用状態におけるスロープ材先端部の拡大断面図である。
【発明を実施するための形態】
【００１５】
以下、本発明のスロープ材について添付図面を参照しながら幾つかの実施例を挙げて詳述する。
【実施例１】
【００１６】
図１を参照して、この実施例によるスロープ材１０は、上部材２０と下部材３０の２部材から構成される。上部材２０，下部材３０はいずれも木材、合成樹脂、天然ゴム、合成ゴムなどの材料から形成され、その材料は特に限定的ではない。また、上部材２０と下部材３０を同一の材料で形成しても、あるいは異なる材料で形成しても良い。また、上部材２０および下部材３０はいずれも図１紙面鉛直方向に長い長尺部材である。
【００１７】
上部材２０は、上面２１、下面２２、先端面２３および後端面２４を有して、先端面２３から後端面２４に向かうにつれて厚みが増大するような断面略三角形状に形成される。後述するように、このスロープ材は、上部材２０を下部材３０と組み合わせて使用する場合（図２，図３）と、上部材２０のみを単独で使用する場合（図４〜図６）があるが、いずれの使用状態であっても上部材２０の上面２１は床面に対して比較的小さな傾斜角度で緩やかに傾斜するスロープ面４１，５１を与え、このスロープ面で段差を解消する。したがって、上面２１を凹凸状に形成したり、上面２１に防滑シートや防滑テープなどを貼着して滑り止めの機能を与えることが好ましい。上面２１の後端部は、後端面２４を越えてさらに後方に突出してつば部２６を形成している。
【００１８】
上部材２０の下面２２は、先端面２３から後端面２４まで略平滑であるが、下部材３０と組み合わせて使用する場合に下部材３０の凸部３５，３６を嵌合するための凹部２７，２８が形成され、下面２２に開口している。上部材２０を単独で使用する場合は、下面の凹部２７，２８を除く全面が床面１と接触する（図４参照）。また、上部材２０と下部材３０を組み合わせて使用したときには、下面の凹部２７，２８を除く全面が、下部材３０の上面３１に密接するように形成されている。
【００１９】
上部材２０の先端面２３は、上部材２０の先端において上面２１と下面２２とを接続する面であり、図示実施例では略垂直平坦面とされているが、傾斜面や曲面であっても良い。先端面２３と下面２２との角部が先端縁２９である。先端面２３の高さは、運搬や施工の際に容易に破損しない程度に十分な高さを有し、且つ、使用状態において歩行時や車椅子走行時に支障とならないように過度に厚くなり過ぎないように適宜に設定することが好ましい。また、上面２１から先端面２３に至る先端部分は、図示のように床面１側に緩やかに湾曲させると、使用時に先端縁２９が床面１と確実に接触して隙間の発生が生じにくくなるので、好ましい形状である。
【００２０】
上部材２０の後端面２４は、上部材２０と下部材３０を組み合わせて使用したとき（図２）に床面１に対して略垂直面として形成され、上部材２０が単独でスロープ材として使用されるときは、段差を形成する床材２の木口面３に略接する面となり（図４参照）、上部材２０と下部材３０との組み合わせでスロープ材として使用されるときは、凸部２７ａが下部材３０の上面３１の後端側に形成される嵌合部３５の凹部３５ｃに嵌合されることによって、下部材３０の後端面３４が床材木口面３に略接する面となる（図２参照）。この実施例において、上部材２０の後端面２４の高さは６ｍｍである。
【００２１】
上部材２０のつば部２６は、上面２１が後端面２４からさらに後方に延長して突出するように形成され、その下面２６ａは後端面２４と略直角である。つば部２６は、上部材２０が単独でスロープ材として使用される場合、上部材２０と下部材３０との組み合わせでスロープ材として使用される場合のいずれにおいても、下面２６ａが木口面３近くの床材表面５に接することにより、スロープ材と床材木口面３との間の隙間を隠すことができる。より詳しくは、上部材２０が単独でスロープ材として使用されるときは、上部材２０の後端面２４と床材木口面２との間に隙間があってもつば部２６でこの隙間を隠すことができ（図４参照）、また、上部材２０と下部材３０との組み合わせでスロープ材として使用されるときは、下部材３０の後端面３４が床材木口面３に実質的に突き当てられた状態で使用されるので、下部材３０の最後端側の凸部３５ａの後端側の側面３５ｄ（図１（ｂ））と床材木口面３との間に隙間４が形成されるが、この隙間をつば部２６で隠すことができる（図２参照）。つば部２６は、上部材２０が硬質材料で形成される場合であっても軟質弾力性材料で形成することにより、床材２とスロープ材（上部材２０単独または上下部材２０，３０の組み合わせ）との間に若干の高さ誤差があっても、下面２６ａが床材の木口面３近くの表面５に被さるように対応し、上述の隙間隠蔽作用を効果的に発揮することができる。
【００２２】
上部材２０の下面２２の後端近くに形成される嵌合部２７は、下部材３０の上面３１の後端近くに形成される嵌合部３５と嵌合し、上部材２０の下面２２の長さ方向略中央に形成される嵌合部２８は、下部材３０の上面３１の長さ方向略中央に形成される嵌合部３６と嵌合し、上部材２０と下部材３０を組み合わせてスロープ材として使用される場合に、これら２箇所での嵌合を介して上部材２０と下部材３０を一体化させる。
【００２３】
嵌合部２７は、後端面２４との間に所定間隔を設けて形成される凹部２７ｂと、この所定間隔部分に残される凸部２７ａとを有する。この凸部２７ａが下部材３０の対応する嵌合部３５における凹部３５ｃに嵌合され、凹部２７ｂに凸部３５ｂが挿入され、後端面２４に凸部３５ａの前側面３５ｅ（図１）が接した状態で、これら嵌合部２７，３５同士の嵌合を介して上部材２０と下部材３０とが一体化される（図２参照）。
【００２４】
嵌合部２８は、所定間隔を設けて形成される一対の凹部２８ａ，２８ｂと、この所定間隔部分に残される凸部２８ｃとを有する。この凸部２８ｃが下部材３０の対応する嵌合部３６における凹部３６ｃに嵌合され、凹部２８ａ，２８ｂにそれぞれ凸部３６ａ，３６ｂに挿入された状態で、これら嵌合部２８，３６同士の嵌合を介して上部材２０と下部材３０とが一体化される（図２参照）。
【００２５】
下部材３０も上部材２０と同様に長尺部材であるが、その幅寸法（図１（ｂ）左右方向）は上部材２０より短い。下部材３０は、上面３１、下面３２、先端面３３および後端面３４を有して、先端面３３から後端面３４に向かうにつれて厚みが増大するような断面略三角形状に形成される。下部材３０の下面３２は水平な平坦面であり、上部材２０と下部材３０を組み合わせてスロープ材として使用するときに、床面１に接する（図２参照）。上面３１は下面３２に対して所定の傾斜角度β（図２）で緩やかに傾斜する傾斜面である。この傾斜角度は、上部材２０を下部材３０と組み合わせて使用したときに上部材２０の下面２２が水平面に対して有する傾斜角度と同一である。したがって、嵌合部２７，３５同士および嵌合部２８，３６同士の嵌合を介して上部材２０と下部材３０とを一体化したときに、上部材２０の下面２２と下部材３０の上面３１は、嵌合部２７，２８，３５，３６を除いて、全面で密着した状態が得られる。
【００２６】
下部材３０の先端面３３は、下部材３０の先端において上面３１と下面３２とを接続する面であり、図示実施例では略垂直平坦面とされているが、傾斜面や曲面であっても良い。先端面３３の高さは、運搬や施工の際に容易に破損しない程度に十分な高さを有することが好ましい。
【００２７】
下部材３０の後端面３４は、下面３２に対して略垂直面として形成され、上部材２０と下部材３０との組み合わせでスロープ材として使用されるときに、段差を形成する床材２の木口面３と接する面となる（図２参照）。この実施例において、下部材３０の後端面３４の高さは６ｍｍである。
【００２８】
既述したように、下部材３０の上面３の後端近くに形成される嵌合部３５は、上部材２０の下面２２の後端近くに形成される嵌合部２７と嵌合し、下部材３０の上面３１の長さ方向略中央に形成される嵌合部３６は、上部材２０の下面２２の長さ方向略中央に形成される嵌合部２８と嵌合する。
【００２９】
嵌合部３５は、所定間隔を設けて形成される一対の凹部３５ａ，３５ｂと、これら凹部間に形成される凹部３５ｃとを有する。嵌合部３６は、所定間隔を設けて形成される一対の凹部３６ａ，３６ｂと、これら凹部間に形成される凹部３６ｃとを有する。上部材２０の嵌合部２７，２８との嵌合状態は既述した通りであるので、繰り返し述べることを割愛する。
【００３０】
上部材２０と下部材３０を組み合わせてスロープ材４０（「第一のスロープ材」）として使用した場合の使用状態が図２および図３に示されている。たとえば、床材２の厚さが１２ｍｍであって同寸法の段差が形成されるときに、この組み合わせ形態のスロープ材４０を使用すれば、上部材後端面２４の高さ（６ｍｍ）と下部材後端面３４の高さ（６ｍｍ）の合計高さ１２ｍｍで段差を解消させることができる。この使用状態を得るには、既述したようにして上部材２０の嵌合部２７，２８を下部材３０の嵌合部３５，３６と嵌合して一体化した状態にして、下部材３０を床面１上に施工し、下部材３０の後端面３４を段差を形成する床材２の木口面３に突き当て、上部材２０のつば部２６を床材木口面３に被せる。既述したように、スロープ材４０の後端に形成される隙間４はつば部２６で隠蔽され、表面側から見えることはない。
【００３１】
また、下部材３０の幅寸法は上部材２０の幅寸法より小さいので、組み合わせたときに下部材３０の先端面３３を含む先端部はスロープ材４０の先端には至らず、スロープ材４０の先端はもっぱら上部材２０の先端部によって形成される。したがって、上部材２０の先端縁２９が床面１に接した状態が得られ、床面１との間に隙間が生じることはない（図３参照）。スロープ材４０のスロープ面４１（上部材２０の上面２１で形成される）は、つば部２６から先端面２３に至るまで、床面１に対する傾斜角度α＋β＝γで緩やかに傾斜している。
【００３２】
上部材２０を単独でスロープ材５０（「第二のスロープ材」）として使用した場合の使用状態が図４ないし図６に示されている。このスロープ材５０を使用すれば、厚さ６ｍｍの床材２によって形成される同寸法の段差を解消させることができる。
【００３３】
この場合の段差解消について詳しく述べると、上部材２０を単独で用いた場合、下面２２を床面１に密接した状態で施工されることになるが、既述したように上部材２０の下面２２は水平に対して若干傾斜している（下部材３０の上面３１が下面３２に対してなす傾斜角度βと同じ傾斜角度で傾斜している）ので、この下面２２を水平な床面１に密接させた状態とすると、後端面２４が床材木口面３に密接することができず、床面１からつば部下面２４ａまでの高さは後端面２４自体の高さ（６ｍｍ）より若干短くなり、下面２２側において床材木口面３との間に隙間が生じる（図６参照）。しかしながら、ここに隙間が生じても、つば部２６で隠蔽されるので、表面側からごみが入り込むことはない。また、上部材２０を床面１に接着剤で接着した場合は、該接着剤が隙間を充填する。また、つば部２６を軟質で変形可能な材料で形成した場合は、若干の高さ変動に追従して床材１の木口面３近くの表面５に実質的に密接することができる。この場合、つば部下面２６ａと床材表面５との間にも隙間が生じることがある（図６参照）が、つば部２６の先端が床材表面５に接するので該隙間にごみが入り込むことが防止され、また、つば部２６を軟質で変形可能な材料で形成した場合は、床材表面５に隙間なく密接するように変形することができる。
【００３４】
また、上部材２０の下面２２は後端面２４から先端縁２９に至るまで平坦であるので、その全面が床面１に密接した状態で施工される。したがって、この場合も、上部材２０の先端縁２９が床面１に接した状態が得られ、床面１との間に隙間が生じることはない（図５参照）。このスロープ材５０のスロープ面５１は、つば部２６から先端面２３に至るまで、上部材２０自体の傾斜角度αで緩やかに傾斜している。
【００３５】
なお、スロープ材４０を使用する場合は下部材３０を床面１上に施工し、スロープ材５０を使用する場合は上部材２０を床面１上に施工するが、この施工は、下部材３０または上部材２０の後端面２４，３４を床材木口面３に突き当てた位置で固定せずに単に床面１上に載置しても良いし、接着剤や両面テープなどを用いて同位置に固定しても良い。
【実施例２】
【００３６】
図７および図８に示す実施例では、実施例１で用いた上部材２０と同一である上部材２０と、後端面３４の高さを５．５ｍｍとした他は実施例１で用いた下部材３０と同一である下部材３０が用いられている。実施例１と同一または対応する要素・部材にはこの実施例においても同一の符号を付して、それらの説明を省略する。
【００３７】
上部材２０と下部材３０を組み合わせてスロープ材４０として使用した場合の使用状態が図７および図８に示されている。たとえば、床材２の厚さが１１．５ｍｍであって同寸法の段差が形成されるときに、この組み合わせ形態のスロープ材４０を使用すれば、上部材後端面２４の高さ（６ｍｍ）と下部材後端面３４の高さ（５．５ｍｍ）の合計高さ１１．５ｍｍで段差を解消させることができる。この使用状態は、実施例１において既述したと同様にして得ることができるので、説明を省略する。
【００３８】
このようにして、上部材２０を共通にしながら、後端面３４の高さ寸法が異なる数種類の下部材３０を用意して、床材２の厚さ（段差）に応じて対応する高さ寸法の後端面３４を有する下部材３０を選択して上部材２０と組み合わせてスロープ材４０を使用することにより、種々の段差に対応して解消させることができる。あるいは、下部材３０を共通にしながら、後端面２４の高さ寸法が異なる数種類の上部材２０を用意しても、上記と同様の効果が得られる。上部材２０と下部材３０の両方について後端面２４，３４の高さ寸法が異なる数種類のものを用意しておいて適宜選択するようにすれば、段差対応をよりきめ細かく行うことができる。さらには、床材２による段差と、組み合わせスロープ材４０の高さ寸法との間に若干の誤差があっても、柔軟なつば部２６が変形して誤差を吸収することができる効果がある。
【実施例３】
【００３９】
図９および図１０に示す実施例では、上部材２０の形状が実施例１，２の上部材２０と異なり、また、上部材２０と下部材３０を組み合わせてスロープ材４０として使用するための嵌合部２７，２８，３５，３６の構成が実施例１，２とは異なる構成が採用されている。実施例１と同一または対応する要素・部材にはこの実施例においても同一の符号を付して、それらの説明を省略する。
【００４０】
この実施例の上部材２０は、上面２１を有する平板状本体から下方に向けて突出する脚部２５ａ〜２５ｃが形成されている。そして、嵌合部２７，３５同士および嵌合部２８，３６同士の嵌合を介して上部材２０と下部材３０とを一体化したときに、脚部２５ａ〜２５ｃの底面（これら底面および先端側底面２２ａが面一になって上部材２０の下面２２をなす）が下部材３０の上面３１に密接することにより、上部材２０が下部材３０との間に中空部４２が形成された状態で下部材３０上に安定的に支持され、床面１に対して所定角度γ（α＋β）をなすスロープ面４１を与える。脚部２５ａ〜２５ｃは、この密接状態を確保するために、後端側から先端側に向かうにつれて徐々に長さが短くなり、且つ、それらの底面（下面２２）が下部材３０の上面３１と同一角度の傾斜面となるように形成されている。また、先端側の脚部２５ｄは、下部材３０の上面３１の先端側に形成される嵌合部（凹部）３７に嵌合される。
【００４１】
また、この実施例における上部材２０の後端側に形成される嵌合部２７は、所定間隔を設けて形成される一対の凸部２７ｃ，２７ｄと、これら凸部間に形成される凹部２７ｅとを有し、この凹部２７ｅに、下部材３０の後端側に形成される嵌合部３５の凸部３５ｆが嵌合することによって一体化される。このとき、凸部２７ｃ，２７ｄは下部材３０の凸部３５ｆの前後において上面３１に接して安定した嵌合状態を与える。同様に、上部材２０の略中央に形成される嵌合部２８は、所定間隔を設けて形成される一対の凸部２８ｄ，２８ｅと、これら凸部間に形成される凹部２８ｆとを有し、この凹部２８ｆに、下部材３０の略中央に形成される嵌合部３６の凸部３６ｄが嵌合することによって一体化され、このとき、凸部２８ｄ，２８ｅは下部材３０の凸部３６ｄの前後において上面３１に接して安定した嵌合状態を与える。凸部２７ｃ，２７ｄ，２８ｄ，２８ｅの底面も、脚部２５ａ〜２５ｃの底面と同様に、後端側から先端側に向かうにつれて徐々に長さが短くなり、且つ、それらの底面が下部材３０の上面３１と同一角度の傾斜面となるように形成されているので、上記嵌合部同士の嵌合を介して上下部材２０，３０を一体化したときに、下部材３０の上面３１に密接する。
【００４２】
この実施例によるスロープ材の使用方法や使用状態、その作用効果などは、既述した実施例１，２と同様であるので、説明を省略する。この実施例によるときも、上部材２０を単独でスロープ材として使用することができる。この場合、上部材２０は、後端側から先端側に順に、凸部２７ｃの底面、凸部２７ｄの底面、脚部２５ａの底面、脚部２５ｂの底面、凸部２８ｄの底面、凸部２８ｅの底面、脚部２５ｃの底面、脚部２５ｄの底面（これら底面および先端側底面２２ａが面一になって上部材２０の下面２２をなす）、そして先端側底面２２ａが床面１に接することになるので、これらの底面はすべて面一な平坦面として形成される。
【符号の説明】
【００４３】
１  床面
２  床材
３  床材の木口面
４  隙間
５  床材の表面
２０  上部材
２１  上面
２２  下面
２２ａ  先端側底面
２３  先端面
２４  後端面
２５ａ〜２５ｄ  脚部
２６  つば部
２６ａ  下面
２７  嵌合部
２７ａ  凹部
２７ｂ  凸部
２７ｃ，２７ｄ  凸部
２７ｅ  凹部
２８  嵌合部
２８ａ，２８ｂ  凹部
２８ｃ  凸部
２８ｄ，２８ｅ  凸部
２８ｆ  凹部
２９  先端縁
３０  下部材
３１  上面
３２  下面
３３  先端面
３４  後端面
３５  嵌合部
３５ａ，３５ｂ  凸部
３５ｃ  凹部
３５ｄ  凸部３５ａの後面
３５ｅ  凸部３５ａの前面
３５ｆ  凸部
３６  嵌合部
３６ａ，３６ｂ  凸部
３６ｃ  凹部
３６ｄ  凸部
３７  嵌合部
４０  上部材と下部材との組み合わせとして使用されるスロープ材（第一のスロープ材）
４１  スロープ面
４２  中空部
５０  上部材のみからなるスロープ材（第二のスロープ材）
５１  スロープ材
【図１】
0006031235.tif 000002
【図２】
0006031235.tif 000003
【図３】
0006031235.tif 000004
【図４】
0006031235.tif 000005
【図５】
0006031235.tif 000006
【図６】
0006031235.tif 000007
【図７】
0006031235.tif 000008
【図８】
0006031235.tif 000009
【図９】
0006031235.tif 000010
【図１０】
0006031235.tif 000011